(57)【要約】【課題】運転中などに外力でルーバ開度が開かれたときでも運転停止時にルーバを完全に閉じることができることを目的とする。【解決手段】ルーバ９を閉じるとき、ルーバ開度検知手段１０で検知するまで回動した後更に特定開度から全閉するのに必要な角度を回動させるという構成にしたことにより、ルーバ９が開いた状態から閉じるとき、ステッピングモータ８で回動されるルーバ９が特定開度になると、ルーバ開度検知手段１０が検知し、更に特定開度から全閉するのに必要な角度を回動させるので、運転中などに外力でルーバ９が回動されたときでも、運転停止時にルーバ９を完全に閉じることができる浴室暖房乾燥機を得られる。【選択図】図１
2015040651.tif 000002
【特許請求の範囲】
【請求項１】
浴室に設置される本体ケース内に、前記浴室内の空気を循環する循環ファンと、前記循環ファンにより生成される循環空気を加熱する加熱手段と、前記本体ケースを覆うパネルとを備え、前記パネルには前記浴室内の空気を吸い込む吸込口と前記循環空気を吹き出す吹出口とを備え、前記吹出口には、ステッピングモータで回動されるルーバと、前記ルーバの特定開度を検知するルーバ開度検知手段を備え、前記ルーバを閉じるとき、前記ルーバ開度検知手段で検知するまで回動した後更に特定開度から全閉するのに必要な角度を回動させることを特徴とする浴室暖房乾燥機。
【請求項２】
ルーバ開度検知手段を、吹出口のステッピングモータ側に設けたことを特徴とする請求項１に記載の浴室暖房乾燥機。
【請求項３】
ルーバ開度検知手段を、非接触で開度が検知できることを特徴とする請求項１または２に記載の浴室暖房乾燥機。
【請求項４】
ルーバ開度検知手段を、ルーバにはマグネットを設け、吹出し口の近傍の前記マグネット側に前記マグネットの磁気を検知するホール素子を設けたことを特徴とする請求項１〜３のいずれかに記載の浴室暖房乾燥機。
【発明の詳細な説明】
【技術分野】
【０００１】
本発明は、浴室内を暖房あるいは乾燥する浴室暖房乾燥機に関するものである。
【背景技術】
【０００２】
従来、この種の浴室暖房乾燥機は、浴室に設置される本体ケース内に、前記浴室内の空気を循環する循環ファンと、前記循環ファンにより生成される循環空気を加熱する加熱手段と、前記本体ケースを覆うパネルとを備え、前記パネルには前記浴室内の空気を吸い込む吸込口と前記循環空気を吹き出す吹出口とを備えたものが知られている（例えば、特許文献１参照）。
【先行技術文献】
【特許文献】
【０００３】
【特許文献１】特許第４６３１６１０号公報
【発明の概要】
【発明が解決しようとする課題】
【０００４】
このような従来の浴室暖房乾燥機においては、運転中などに外力でルーバ開度が開かれたとき、運転停止時にルーバが完全に閉じない、という課題を有していた。
【０００５】
そこで本発明は、上記従来の課題を解決するものであり、運転中などに外力でルーバ開度が開かれたときでも運転停止時にルーバを完全に閉じることができる浴室暖房乾燥機を提供することを目的とする。
【課題を解決するための手段】
【０００６】
そして、この目的を達成するために、本発明は、浴室に設置される本体ケース内に、前記浴室内の空気を循環する循環ファンと、前記循環ファンにより生成される循環空気を加熱する加熱手段と、前記本体ケースを覆うパネルとを備え、前記パネルには前記浴室内の空気を吸い込む吸込口と前記循環空気を吹き出す吹出口とを備え、前記吹出口には、ステッピングモータで回動されるルーバと、前記ルーバの特定開度を検知するルーバ開度検知手段を備え、前記ルーバを閉じるとき、前記ルーバ開度検知手段で検知するまで回動した後更に特定開度から全閉するのに必要な角度を回動させることとしたものであり、これにより所期の目的を達成するものである。
【発明の効果】
【０００７】
本発明によれば、浴室に設置される本体ケース内に、前記浴室内の空気を循環する循環ファンと、前記循環ファンにより生成される循環空気を加熱する加熱手段と、前記本体ケースを覆うパネルとを備え、前記パネルには前記浴室内の空気を吸い込む吸込口と前記循環空気を吹き出す吹出口とを備え、前記吹出口には、ステッピングモータで回動されるルーバと、前記ルーバの特定開度を検知するルーバ開度検知手段を備え、前記ルーバを閉じるとき、前記ルーバ開度検知手段で検知するまで回動した後更に特定開度から全閉するのに必要な角度を回動させるという構成にしたことにより、ルーバが開いた状態から閉じるとき、ステッピングモータで回動されるルーバが特定開度になると、ルーバ開度検知手段が検知し、更に特定開度から全閉するのに必要な角度を回動させることとなるので、運転中などに外力でルーバが回動されたときでも、運転停止時にルーバを完全に閉じることができる、という効果を得ることができる。
【図面の簡単な説明】
【０００８】
【図１】本発明の実施の形態１の浴室暖房乾燥機の内部の構造を示す断面図
【図２】同浴室暖房乾燥機のパネルの構造を示す構成図
【発明を実施するための形態】
【０００９】
本発明の請求項１記載の浴室暖房乾燥機は、浴室に設置される本体ケース内に、前記浴室内の空気を循環する循環ファンと、前記循環ファンにより生成される循環空気を加熱する加熱手段と、前記本体ケースを覆うパネルとを備え、前記パネルには前記浴室内の空気を吸い込む吸込口と前記循環空気を吹き出す吹出口とを備え、前記吹出口には、ステッピングモータで回動されるルーバと、前記ルーバの特定開度を検知するルーバ開度検知手段を備え、前記ルーバを閉じるとき、前記ルーバ開度検知手段で検知するまで回動した後更に特定開度から全閉するのに必要な角度を回動させるという構成を有する。これにより、ルーバが開いた状態から閉じるとき、ステッピングモータで回動されるルーバが特定開度になると、ルーバ開度検知手段が検知し、更に特定開度から全閉するのに必要な角度を回動させることとなるので、運転中などに外力でルーバが回動されたときでも、運転停止時にルーバを完全に閉じることができる、という効果を奏する。
【００１０】
また、ルーバ開度検知手段を、吹出口のステッピングモータ側に設けた、という構成にしてもよい。これにより、循環空気がルーバ開度検知手段に接触しないこととなるので、ルーバ開度検知手段へのホコリや湿気などの付着による検知精度の低下やルーバ開度検知手段の故障の発生を起こりにくくすることができるとともに、ルーバ開度検知手段に人や物が接触することによるルーバ開度検知手段の故障の発生を起こりにくくすることができる、という効果を奏する。
【００１１】
また、ルーバ開度検知手段を、非接触で開度が検知できる、という構成にしてもよい。これにより、ルーバとルーバ開度検知手段を隔離することができることとなるので、耐久性を高くすることができる、という効果を奏する。
【００１２】
また、ルーバ開度検知手段を、ルーバにはマグネットを設け、吹出し口の近傍の前記マグネット側に前記マグネットの磁気を検知するホール素子を設けた、という構成にしてもよい。これにより、ルーバが開いた状態から閉じるとき、マグネットがホール素子に近づいていき、ルーバが特定開度になると、ホール素子により検知することができ、容易に検知距離を変更することができることとなるので、耐久性が高く安価で小型にすることができ、他の制御への展開が容易にすることができる、という効果を奏する。
【００１３】
以下、本発明の実施の形態について図面を参照しながら説明する。
【００１４】
（実施の形態１）
図１および図２に示すように、浴室１の天井１３の浴槽（図示せず）上に設置される方形状の本体ケース２内に、浴室１内の空気を循環する循環ファン３（例えばシロッコファン）と、循環ファン３により生成される循環空気を加熱する加熱手段４（例えば温水式のラジエータ）と、本体ケース２の下方全体を覆うパネル５とを備え、パネル５には浴室１内の空気を吸い込む埃等を補足するフィルター１４を内側に有した吸込口６と前記循環空気を吹き出す長方形状の吹出口７とを備え、吹出口７には、ステッピングモータ８で回動されるルーバ９と、ルーバ９の特定開度（例えば６０度）を検知するルーバ開度検知手段１０を備え、例えば暖房運転や乾燥運転時にルーバ９が洗い場（図示せず）側に開き、それらの運転停止時にルーバ９を閉じるとき、ルーバ開度検知手段１０で検知するまで回動した後更に特定開度から全閉するのに必要な角度を回動させるという構成を有する。ここで、全閉するのに必要な角度とは、特定開度に増し締め角度（例えば１０度）をプラスした角度である。
【００１５】
これにより、ルーバ９が開いた状態から閉じるとき、ステッピングモータ８で回動されるルーバ９が特定開度になると、ルーバ開度検知手段１０が検知し、更に特定開度から全閉するのに必要な角度を回動させることとなるので、運転中などに外力でルーバ９が回動されたときでも、運転停止時にルーバ９を完全に閉じることができる、という効果を奏する。
【００１６】
また、ルーバ開度検知手段１０を、吹出口７のステッピングモータ８側すなわち循環ファン３より生成される循環空気が吹き出す吹出口７を形成する一方の側面の外側に設けた、という構成にしてもよい。
【００１７】
これにより、循環空気１５がルーバ開度検知手段１０に接触しないこととなるので、ルーバ開度検知手段１０へのホコリや湿気などの付着による検知精度の低下やルーバ開度検知手段１０の故障の発生を起こりにくくすることができるとともに、ルーバ開度検知手段１０に人や物が接触することによるルーバ開度検知手段１０の故障の発生を起こりにくくすることができる、という効果を奏する。
【００１８】
また、ルーバ開度検知手段１０を、非接触で開度が検知できる、という構成にしてもよい。
【００１９】
これにより、ルーバ９とルーバ開度検知手段１０を隔離することができることとなるので、物理的な力が生じなくなるので耐久性を高くすることができる、という効果を奏する。
【００２０】
また、ルーバ開度検知手段１０を、ルーバ９にはマグネット１１を設け、吹出口７の近傍のマグネット１１側にマグネット１１の磁気を検知するホール素子１２を設けた、という構成にしてもよい。
【００２１】
これにより、ルーバ９が開いた状態から閉じるとき、マグネット１１がホール素子１２に近づいていき、ルーバ９が特定開度になると、ホール素子１２により検知することができ、容易に検知距離を変更することができることとなるので、耐久性が高く安価で小型にすることができ、他の制御への展開が容易にすることができる、という効果を奏する。
【産業上の利用可能性】
【００２２】
本発明にかかる浴室暖房乾燥機は、運転中などに外力でルーバ開度が開かれたときでも運転停止時にルーバを完全に閉じることができるものであるので、サウナ空間に使用されるサウナ装置等にも有用である。
【符号の説明】
【００２３】
１    浴室
２    本体ケース
３    循環ファン
４    加熱手段
５    パネル
６    吸込口
７    吹出口
８    ステッピングモータ
９    ルーバ
１０  ルーバ開度検知手段
１１  マグネット
１２  ホール素子
１３  天井
１４  フィルター
１５  循環空気
【図１】
2015040651.tif 000003
【図２】
2015040651.tif 000004